(57)【要約】  ソース機器に対して複数の表示装置をデイジーチェーン接続した場合であっても、デイジーチェーン接続した表示装置の台数に伴うＨＤＣＰのバージョンの設定変更を行う手間を省く。所定の規格として規定されている規格の所定のバージョンで暗号化した映像信号を出力するソース機器に対してデイジーチェーン接続され、所定のバージョンで暗号化した映像信号を復号して生成される映像を表示する表示部（３０１）と、ソース機器に対してデイジーチェーン接続されているシンク機器の接続台数を判定する判定部（３０２）と、所定のバージョンのうち、シンク機器の接続台数に応じて、ソース機器で暗号化した映像信号を復号して生成される映像を、デイジーチェーン接続されているすべてのシンク機器の表示部において表示可能なバージョンを設定する設定部（３０３）と、を備える。
2018220724.tif 000002
【特許請求の範囲】
【請求項１】
所定の規格として規定されている規格の所定のバージョンで暗号化した映像信号を出力するソース機器に対してデイジーチェーン接続され、前記所定のバージョンで暗号化した映像信号を復号して生成される映像を表示する表示手段と、
前記ソース機器に対してデイジーチェーン接続されているシンク機器の接続台数を判定する判定手段と、
前記所定のバージョンのうち、前記シンク機器の接続台数に応じて、前記ソース機器で暗号化した映像信号を復号して生成される映像を、前記デイジーチェーン接続されているすべてのシンク機器の表示手段において表示可能なバージョンを設定する設定手段と、を備える、表示装置。
【請求項２】
前記所定の規格において、前記映像信号は、前記デイジーチェーン接続されているすべてのシンク機器に対して暗号化して伝送され、前記デイジーチェーン接続されているすべてのシンク機器は、前記ソース機器から認証要求を受けると、前記暗号化に使用する公開鍵を前記ソース機器に対して送信する、請求項１に記載の表示装置。
【請求項３】
前記デイジーチェーン接続されているシンク機器の各々は、それぞれ異なる公開鍵を有しており、前記デイジーチェーン接続において、ソース機器側を上流、末端のシンク機器側を下流としたとき、前記ソース機器に対して最上流側に接続されているシンク機器は、自機器の公開鍵と、前記最上流側に接続されているシンク機器に対して前記ソース機器から下流方向にデイジーチェーン接続されているすべてのシンク機器の各々がそれぞれ有しているすべての公開鍵と、を記憶する、請求項１又は２に記載の表示装置。
【請求項４】
前記判定手段は、前記ソース機器に対して最近端に接続されているシンク機器が記憶する自機器の公開鍵の数と、前記最近端に接続されているシンク機器に対して前記ソース機器から離間する方向にデイジーチェーン接続されているすべてのシンク機器の各々がそれぞれ有しているすべての公開鍵の数とを合わせた数に基づいて、前記デイジーチェーン接続されているシンク機器の接続台数を判定する、請求項１から３の何れか１項に記載の表示装置。
【請求項５】
前記公開鍵は、ＫＳＶ（Key Selection Vector）である、請求項２から４の何れか１項に記載の表示装置。
【請求項６】
前記所定の規格は、著作権を保護する規格として規定されている規格である、請求項１から５の何れか１項に記載の表示装置。
【請求項７】
前記所定の規格は、ＨＤＣＰ（High-bandwidth Digital Content Protection）である、請求項１から６の何れか１項に記載の表示装置。
【請求項８】
前記所定のバージョンは、ＨＤＰＣ規格の、少なくともバージョン１．４とバージョン２．２とを含む、請求項１から７の何れか１項に記載の表示装置。
【請求項９】
所定の規格として規定されている規格の所定のバージョンで暗号化した映像信号を出力するソース機器に対してデイジーチェーン接続され、前記所定のバージョンで暗号化した映像信号を復号して生成される映像を表示する工程と、
前記ソース機器に対してデイジーチェーン接続されているシンク機器の接続台数を判定する工程と、
前記所定のバージョンのうち、前記シンク機器の接続台数に応じて、前記ソース機器で暗号化した映像信号を復号して生成される映像を、前記デイジーチェーン接続されているすべてのシンク機器の表示手段において表示可能なバージョンを設定する工程と、を備える表示方法。
【請求項１０】
コンピュータに、
所定の規格として規定されている規格の所定のバージョンで暗号化した映像信号を出力するソース機器に対してデイジーチェーン接続され、前記所定のバージョンで暗号化した映像信号を復号して生成される映像を表示する処理と、
前記ソース機器に対してデイジーチェーン接続されているシンク機器の接続台数を判定する処理と、
前記所定のバージョンのうち、前記シンク機器の接続台数に応じて、前記ソース機器で暗号化した映像信号を復号して生成される映像を、前記デイジーチェーン接続されているすべてのシンク機器の表示手段において表示可能なバージョンを設定する処理と、を実行させるためのプログラム。
【発明の詳細な説明】
【技術分野】
【０００１】
本発明は、表示装置、表示方法、及びプログラムに関するものである。
【背景技術】
【０００２】
パーソナルコンピュータ（以下、ＰＣという。）とディスプレイとの間のインターフェース規格であるＤＶＩ（Digital Visual Interface）を使用すると、ディスプレイに対して、ＰＣから直接デジタル信号を送ることができる。したがって、デジタル信号に基づいて生成される映像を劣化させることなくディスプレイに表示することが可能になる。これにより、画質が向上する。このＤＶＩ規格をさらに発展させた規格であるＨＤＭＩ（High-Definition Multimedia Interface）（登録商標）を使用すると、鮮明な映像・音声信号（以下、映像・音声信号をコンテンツ信号という。）をデジタル信号のまま伝送することが可能になる。ＨＤＭＩは、ＨＤＴＶ（High-Definition Television）を支える重要な規格と位置付けられている。【０００３】
ＤＶＤ（Digital Versatile Disc）やデジタルテレビ放送などにおいて、コンテンツ信号は暗号化技術を用いて保護されている。したがって、単純にコンテンツ信号を抜き出して複製物を作成したとしても、コンテンツ信号を再生することができない。しかしながら、ＰＣなどを用いてコンテンツ信号を再生し、ディスプレイに表示する際には暗号が復号され、コンテンツ信号は無防備な状態になる。この瞬間に、ＰＣとディスプレイとの間の伝送系からコンテンツ信号を抜き出すことで、いわゆる海賊版の複製物が作成されることが懸念されている。【０００４】
ＰＣとディスプレイとの間の伝送系がアナログ信号を用いて行われていたときには、伝送系からコンテンツ信号を抜き出して複製物を作成したとしても、ビデオデッキを用いてテープにダビングしたときのように、劣化したコンテンツ信号しか得ることができなかった。しかしながら、ＰＣとディスプレイとの間の伝送系に、ＤＶＩ規格を使用したデジタル信号が用いられると、ＰＣから送出されるコンテンツ信号を抜き出すことで劣化のない複製物を作成することができてしまう。このように、オリジナルのコンテンツ信号と画質において何ら遜色のない複製物を不正に作成することを防止する著作権保護技術の一つとして、ＨＤＣＰ（High-bandwidth Digital Content Protection）という規格が、Ｄｉｇｉｔａｌ  Ｃｏｎｔｅｎｔ  Ｐｒｏｔｅｃｔｉｏｎ、ＬＬＣという団体によって策定・管理されている。【０００５】
ＨＤＣＰでは、ＰＣなどの映像再生機器とディスプレイなどの表示機器との間のデジタル信号を送受信する経路においてコンテンツ信号の暗号化を行っている。具体的には、コンテンツ信号の送信側の機器が受信側の機器の認証を行う。そして、公開鍵暗号を用いることで、コンテンツ信号の暗号に使用する鍵を、送信側の機器と受信側の機器との間において共有する。送信側の機器は、この公開鍵を使用してコンテンツ信号を暗号化してから送信を行う。これにより、伝送中に、コンテンツ信号が抜き出されたり改ざんされたりすることを防止している。ＨＤＣＰで保護されたコンテンツ信号は、送信側の機器と受信側の機器との双方がＨＤＣＰ規格に対応していないと、受信側の機器において表示されない。また、コンテンツ信号を抜き取るために、偽の機器を使用したとしても、正当な機器であるとの認証が行われない。このため、送信側の機器から偽の機器に対するコンテンツ信号の送信が拒否される。【０００６】
ＨＤＣＰ規格は、現在、４Ｋテレビジョン放送対応機種において必須とされているＨＤＣＰｖｅｒ．２．２（以下、ＨＤＣＰ２．２という。）にアップデートされつつある。４Ｋテレビジョン放送に伴う画質の向上に比例して、著作権保護技術はより強固なものになってきている。そして、現在、４Ｋテレビジョン放送は未だ試験放送の段階であるため、市場に出回っている映像再生機器や映像表示機器（以下、これらを纏めて表示装置ともいう。）は、現在のＨＤＣＰ規格であるＨＤＣＰｖｅｒ１．４（以下、ＨＤＣＰ１．４という。）と、ＨＤＣＰ１．４がアップデートされた規格であるＨＤＣＰ２．２との両方に対応しているものが主流である。【０００７】
また、ＨＤＣＰ規格に対応した表示装置は、著作権保護技術をより強固にするため、表示装置のデイジーチェーン（数珠繋ぎ）接続の台数についても、より厳しい制限を有している。
ＨＤＣＰ規格に対応した表示装置（以下、シンク（Ｓｉｎｋ）機器ともいう。）や中継機器（以下、リピータ（Ｒｅｐｅａｔｅｒ）機器ともいう。）は、ＰＣなどの信号源（以下、ソース（Ｓｏｕｒｃｅ）機器ともいう。）の認証を受ける必要がある。シンク機器は、例えば、ＨＤＣＰ規格によって著作権が保護されたコンテンツ信号に基づいて映像を表示する機器である。リピータ機器は、例えば、ソース機器とシンク機器との間に配置され、ＨＤＣＰ規格によって著作権が保護されたコンテンツ信号を分配する機器である。なお、シンク機器に、リピータ機器の機能を備えるようにしてもよい。シンク（リピータ）機器とソース機器とを、ＨＤＭＩ規格に対応したケーブルを用いて接続して、上記した認証を行う場合、機器のデイジーチェーン接続の台数制限として、コンテンツ信号を中継するリピータ機器の最大深度と最大デバイス数とが予め定められている。ここで、深度とは、リピータ機器を接続する階層の数のことである。デバイス数とは、すべての階層に接続されているデバイスの数のことである。
例えば、ＨＤＣＰ１．４の場合、リピータ機器の最大深度は８、シンク機器の最大デバイス数は１２８と制限されている。また、例えば、ＨＤＣＰ２．２の場合、リピータ機器の最大深度は４、シンク機器の最大デバイス数は３２と制限されている。
【先行技術文献】
【特許文献】
【０００８】
【特許文献１】国際公開第２０１６／１７０５９６号
【発明の概要】
【発明が解決しようとする課題】
【０００９】
ここで、ＨＤＣＰ２．２とＨＤＣＰ１．４との双方に対応したソース機器の一例である映像再生機器からコンテンツ信号が出力される場合を考える。例えば、映像再生機器から出力されたコンテンツ信号がＨＤＣＰ２．２を用いて暗号化されると、ＨＤＣＰ２．２とＨＤＣＰ１．４との双方に対応したシンク機器の一例であるプロジェクタが映像再生機器に対してデイジーチェーン接続された場合、プロジェクタをＨＤＣＰ２．２に設定することで、暗号化されたコンテンツ信号を復号して表示することが可能である。
しかしながら、プロジェクタのデイジーチェーン接続の階層が５以上である場合、ＨＤＣＰ２．２の階層数制限の影響を受けてしまう。すなわち、映像再生機器においてＨＤＣＰ２．２を用いて暗号化されたコンテンツ信号は、プロジェクタにおいて復号することができない。その結果、プロジェクタの表示画像は、砂あらしのようなランダムパターンや、全黒などといった異常な表示となってしまう。
このとき、デイジーチェーン接続された各プロジェクタのＨＤＣＰの設定を、それぞれＨＤＣＰ２．２からＨＤＣＰ１．４に変更することで、階層数制限を最大８台まで緩和することができる。その結果、映像再生機器で暗号化されたコンテンツ信号を、プロジェクタにおいて復号して表示することが可能である。
しかしながら、このようなＨＤＣＰバージョンの設定変更は、ユーザが手動でいちいち行う必要がある。したがって、複数階層にデイジーチェーン接続されている映像再生機器の台数が多くなるほど、ＨＤＣＰバージョンの設定変更を行うのに手間を要するという問題がある。【００１０】
特許文献１には、プロジェクタやモニタなどの表示装置をデイジーチェーン接続した際に、表示装置が、入力された映像の一部である、自機に対応する分割映像を表示する技術が開示されている。
しかしながら、特許文献１には、デイジーチェーン接続された表示装置の階層数に応じて、ＨＤＣＰのバージョンの設定変更を行う旨の記載はない。したがって、デイジーチェーン接続された階層数が多い場合であっても、ＨＤＣＰのバージョンの設定変更を行うことは想定されていない。このため、複数階層にデイジーチェーン接続されている表示装置の台数が多い場合、ＨＤＣＰのバージョンの設定変更を行うのに手間を要するという問題は依然として解決されていない。【００１１】
本発明の目的は、上述した課題を鑑み、ソース機器に対して複数の表示装置をデイジーチェーン接続した場合であっても、デイジーチェーン接続した表示装置の台数に伴うＨＤＣＰのバージョンの設定変更を行う手間を省くという課題を解決する表示装置、表示方法、及びプログラムを提供することにある。
【課題を解決するための手段】
【００１２】
本発明の表示装置は、所定の規格として規定されている規格の所定のバージョンで暗号化した映像信号を出力するソース機器に対してデイジーチェーン接続され、前記所定のバージョンで暗号化した映像信号を復号して生成される映像を表示する表示手段と、前記ソース機器に対してデイジーチェーン接続されているシンク機器の接続台数を判定する判定手段と、前記所定のバージョンのうち、前記シンク機器の接続台数に応じて、前記ソース機器で暗号化した映像信号を復号して生成される映像を、前記デイジーチェーン接続されているすべてのシンク機器の表示手段において表示可能なバージョンを設定する設定手段と、を備える。【００１３】
また、本発明の表示方法は、所定の規格として規定されている規格の所定のバージョンで暗号化した映像信号を出力するソース機器に対してデイジーチェーン接続され、前記所定のバージョンで暗号化した映像信号を復号して生成される映像を表示する工程と、前記ソース機器に対してデイジーチェーン接続されているシンク機器の接続台数を判定する工程と、前記所定のバージョンのうち、前記シンク機器の接続台数に応じて、前記ソース機器で暗号化した映像信号を復号して生成される映像を、前記デイジーチェーン接続されているすべてのシンク機器の表示手段において表示可能なバージョンを設定する工程と、を備える。【００１４】
さらに、本発明のプログラムは、コンピュータに、所定の規格として規定されている規格の所定のバージョンで暗号化した映像信号を出力するソース機器に対してデイジーチェーン接続され、前記所定のバージョンで暗号化した映像信号を復号して生成される映像を表示する処理と、前記ソース機器に対してデイジーチェーン接続されているシンク機器の接続台数を判定する処理と、前記所定のバージョンのうち、前記シンク機器の接続台数に応じて、前記ソース機器で暗号化した映像信号を復号して生成される映像を、前記デイジーチェーン接続されているすべてのシンク機器の表示手段において表示可能なバージョンを設定する処理と、を実行させる。
【発明の効果】
【００１５】
本発明によれば、ソース機器に対して複数の表示装置をデイジーチェーン接続した場合であっても、デイジーチェーン接続した表示装置の台数に伴うＨＤＣＰのバージョンの設定変更を行う手間を省くことが可能な表示装置、表示方法、及びプログラムを提供できる。
【図面の簡単な説明】
【００１６】
【図１】本発明の第１実施形態の表示装置の一例であるプロジェクタをデイジーチェーン接続した場合の構成例を示す模式図である。
【図２】第１実施形態の表示装置の一例であるプロジェクタの内部構成を示すブロック図である。
【図３】第１実施形態の表示装置におけるＫＳＶの伝送状態の一例を示す図である。
【図４】第１実施形態の表示装置の一例であるプロジェクタ（シンク機器）をソース機器に対してデイジーチェーン接続したときのソース機器とメインプロジェクタ（リピータ機器）との間の動作を示すフローチャートである。
【図５】第１実施形態の表示装置の一例であるプロジェクタ（シンク機器）をソース機器に対してデイジーチェーン接続したときのメインプロジェクタ（リピータ機器）の動作を示すフローチャートである。
【図６】本発明の第２実施形態の表示装置の一例を示す概略ブロック図である。
【発明を実施するための形態】
【００１７】
（第１実施形態の概要）
まず、第１実施形態の概要について図１を用いて説明する。図１は、本発明の第１実施形態の表示装置の一例であるプロジェクタをデイジーチェーン接続した場合の構成例を示す模式図である。図１ではソース機器であるＰＣ１００から出力された映像信号を、水平方向にデイジーチェーン接続された５台のプロジェクタ（シンク機器）２０１、２０２、２０３、２０４を経由してプロジェクタ２０５に伝送している。そして、最後のプロジェクタ２０５は、伝送された映像信号に基づいて生成される映像を、スクリーン５００に投写している。ＰＣ１００とプロジェクタ２０１との間、プロジェクタ２０１とプロジェクタ２０２との間、プロジェクタ２０２とプロジェクタ２０３との間、プロジェクタ２０３とプロジェクタ２０４との間、プロジェクタ２０４とプロジェクタ２０５との間は、それぞれＨＤＭＩケーブル１０１、１０２、１０３、１０４、１０５を用いて接続されている。ＰＣ１００から出力された映像信号は、ＨＤＭＩケーブル１０１、１０２、１０３、１０４、１０５を介してプロジェクタ２０１、２０２、２０３、２０４、２０５に入力される。
本実施形態では、複数の表示装置（シンク機器）をデイジーチェーン接続して表示システムを構成する場合、ＨＤＭＩ、ＤＶＩなどのデジタル映像信号の通信において用いられるＨＤＣＰの暗号化技術であるＫＳＶ（Key Selection Vector）を使用している。
【００１８】
ＨＤＣＰは、映像信号の伝送における暗号化プロトコルとして、ＨＤＣＰプロトコルと呼ばれるプロトコルを使用する。また、ＫＳＶは、暗号化又は暗号の復号化などに使用される暗号鍵の一例であり、公開鍵とも呼ばれる。ＫＳＶは、ＨＤＣＰに対応する機器毎に割り当てられる固有の鍵である。
ＨＤＣＰでは、シンク機器とリピータ機器とが、ＰＣ１００などのソース機器の認証を受ける必要がある。シンク機器とは、例えば、ＨＤＣＰを用いて保護された映像信号に基づいて映像を表示する機器である。また、リピータ機器とは、例えば、ソース機器とシンク機器との間に配置され、ＨＤＣＰを用いて保護された映像信号を分配する機器である。なお、シンク機器にリピータ機器の機能を備えるようにしてもよい。
【００１９】
シンク機器とリピータ機器とが、ソース機器の認証を受ける過程において、シンク機器（リピータ機器）とソース機器とを、ＨＤＭＩケーブルなどのデジタル映像信号を伝送するケーブルを用いて接続する。そうすると、シンク機器（リピータ機器）は、自機器の証明書やＫＳＶを、ケーブルを介してソース機器に対して送信する。ＫＳＶは、ソース機器に接続されたシンク機器（リピータ機器）、及び、そのシンク機器（リピータ機器）を介して接続されたすべてのシンク機器（リピータ機器）からソース機器に対して送信される。ＫＳＶは、暗号化に使用する公開鍵として利用される。そのため、シンク機器（リピータ機器）から送信されたＫＳＶは、他のシンク機器などで改変されることはない。なお、以後の説明では、シンク機器を中心として説明を行うが、リピータ機器においても同様に適用することが可能である。
【００２０】
例えば、ＨＤＭＩケーブルを用いて複数のシンク機器をデイジーチェーン接続した場合、末端に位置するシンク機器（例えば、図１のプロジェクタ２０５）から送信されたＫＳＶは、ソース機器（ＰＣ１００）に向けて経由するシンク機器にかかわらず、末端に位置するプロジェクタ２０５から送信されたＫＳＶの状態を維持したまま、ソース機器に対して送信される。ここで、ソース機器から末端のシンク機器までのデイジーチェーン接続において、ソース機器側を上流又は上位とし、末端のシンク機器側を下流又は下位として以下説明する。
複数のシンク機器をデイジーチェーン接続した場合、各々のシンク機器からＫＳＶがソース機器に対して送信される。そのとき、各々のシンク機器は、下位のシンク機器から受信したＫＳＶを、各々のシンク機器が有するメモリ（記憶部）に記憶する。そして、各々のシンク機器は、当該メモリ（記憶部）に記憶した下位のシンク機器から受信したＫＳＶを、上位のシンク機器、又はソース機器に対して送信する。また、シンク機器は、下位のシンク機器との間を接続するＨＤＭＩケーブルが切断された場合、下位のシンク機器のＫＳＶを、自機器のメモリ（記憶部）から消去する。ここで、ＨＤＭＩケーブルの接続が切断されることには、下位のシンク機器の電源がオフされることも含まれる。
本実施形態では、複数のシンク機器をデイジーチェーン接続した場合、シンク機器を経由すればするほど、その分、上位に位置するシンク機器がメモリ（記憶部）に記憶するＫＳＶの数が増加するという特徴を利用している。この点に関する詳細な説明は後述する。
【００２１】
（第１実施形態）
第１実施形態の表示装置を用いた表示システムは、図１に示すように、ソース機器の一例であるＰＣ１００と、シンク機器の一例であるプロジェクタ２０１、２０２、２０３、２０４、２０５（以下、１号機、２号機、３号機、４号機、５号機ともいう。）と、ＰＣ１００とプロジェクタ２０１との間、プロジェクタ２０１とプロジェクタ２０２との間、プロジェクタ２０２とプロジェクタ２０３との間、プロジェクタ２０３とプロジェクタ２０４との間、プロジェクタ２０４とプロジェクタ２０５との間を、それぞれ接続するＨＤＭＩケーブル１０１、１０２、１０３、１０４、１０５と、プロジェクタ２０５から投写された映像を表示するスクリーン５００とを有する。
【００２２】
そして、ＰＣ１００、プロジェクタ２０１、２０２、２０３、２０４、２０５が、映像信号を伝送するケーブルであるＨＤＭＩケーブル１０１、１０２、１０３、１０４、１０５を用いてデイジーチェーン接続されている。なお、映像信号を伝送するケーブルは、映像信号以外の情報を伝送してもよい。また、１号機から５号機は、情報を送受信する通信部を介して互いに接続されている。通信部は、例えば、有線ＬＡＮ（Local Area Network）、ＲＳ（Recommended Standard）２３２Ｃ、無線ＬＡＮ、ＣＥＣ（Consumer Electronics Control）などを用いて他のプロジェクタと接続される。また、通信部は、プロジェクタを構成する制御部の一部に設けるようにしてもよい。ＰＣ１００は、ＨＤＭＩケーブル１０１を介して１号機２０１に接続される。ＨＤＭＩケーブル１０１に代えて、例えば、ＤＶＩの規格に対応したケーブルであってもよい。
【００２３】
次に、本実施形態の表示装置の一例であるプロジェクタの内部構成について説明する。図２は、第１実施形態の表示装置の一例であるプロジェクタの内部構成を示すブロック図である。なお、以下説明する各図における一方向性の矢印は、ある信号（データ）の流れを端的に示したもので、双方向性を排除するものではない。
図２に示すプロジェクタ２００は、入力端子（ＨＤＭＩ  ＩＮ）１１と、出力端子（ＨＤＭＩ  ＯＵＴ）１２と、映像送受信部２０と、映像信号処理部３０と、駆動部４０と、表示部５０と、制御部（ＣＰＵ：Central Processing Unit）６０と、バス（Ｉ２ＣＢＵＳ）６１と、記憶部７０とを有する。映像送受信部２０は受信部（ＨＤＭＩレシーバ）２１と、送信部（ＨＤＭＩトランスミッター）２２と、ＨＤＣＰ設定部２３とを有する。
【００２４】
ＨＤＭＩ  ＩＮ１１は、ソース機器又はシンク機器（リピータ機器）から映像信号を一例とするデジタル信号を入力する端子である。ＨＤＭＩ  ＯＵＴ１２は、シンク機器（リピータ機器）に対して映像信号を一例とするデジタル信号を出力する端子である。ＨＤＭＩレシーバ２１は、ＨＤＭＩ  ＩＮ１１から入力した映像信号に対して所定の信号処理を行う。ＨＤＭＩトランスミッター２２は、ＨＤＭＩレシーバ２１において所定の信号処理が行われた映像信号をＨＤＭＩ  ＯＵＴ１２端子に対して出力する。ＨＤＣＰ設定部２３は、後述するように、デイジーチェーン接続されているシンク機器（リピータ機器）の台数に応じて、ＨＤＣＰのバージョンの設定を行う。このＨＤＣＰ設定部２３は、設定手段の一例である。
【００２５】
映像信号処理部３０は、映像送受信部２０で受信された映像信号に対して所定の信号処理を行う。駆動部４０は、表示部５０の駆動を行う。表示部５０は、投写レンズ５１を有する。投写レンズ５１は、スクリーン５００に映像を投写する。制御部（ＣＰＵ）６０は、プロジェクタ２００の動作全体を制御する。記憶部７０は、制御部（ＣＰＵ）６０がプロジェクタ２００の動作を制御するためのコンピュータプログラムなどを格納する。そして、少なくとも、ＨＤＭＩ  ＩＮ１１、ＨＤＭＩレシーバ２１、ＨＤＭＩトランスミッター２２、ＨＤＭＩ  ＯＵＴ１２、及び表示部５０は、表示手段の一例である。
【００２６】
プロジェクタ２００を構成する各ブロックは、制御部（ＣＰＵ）６０とバス６１を用いて接続されている。制御部（ＣＰＵ）６０は、記憶部７０に格納されているコンピュータプログラムに応じて各ブロックの動作を制御する。この制御部（ＣＰＵ）６０は、判定手段の一例である。記憶部７０は、さらに次のものを記憶する。１つ目は、自機器のＫＳＶである。２つ目は、デイジーチェーン接続されているすべての他のプロジェクタ（シンク機器）のうち、ソース機器の認証を受ける過程において自機器を経由してソース機器に対して送信される下流側に設けられたすべてのプロジェクタ（下流側シンク機器）のＫＳＶである。３つ目は、ＨＤＣＰ設定部２３を使用して設定されるＨＤＣＰ規格の複数のバージョンである。
【００２７】
本実施形態では、映像信号としてＨＤＭＩ信号を扱うものとしている。したがって、入力端子（ＨＤＭＩ  ＩＮ）１１、出力端子（ＨＤＭＩ  ＯＵＴ）１２、受信部（ＨＤＭＩレシーバ）２１、送信部（ＨＤＭＩトランスミッター）２２は、ＨＤＭＩ信号に対応したものとなっている。しかしながら、ＤＶＩなどのデジタル映像信号を扱う構成とすることも可能である。入力端子（ＨＤＭＩ  ＩＮ）１１は、上位装置と、図示しない映像信号伝送ケーブルを介して接続されている。そして、入力端子（ＨＤＭＩ  ＩＮ）１１は、映像信号伝送ケーブルを介して、上位装置から映像信号及び制御信号を受信する。
【００２８】
入力端子（ＨＤＭＩ  ＩＮ）１１から受信した映像信号は、映像送受信部２０の受信部（ＨＤＭＩレシーバ）２１へ送信される。受信部（ＨＤＭＩレシーバ）２１は、入力端子（ＨＤＭＩ  ＩＮ）１１から受信した映像信号に対して、シリアル−パラレル変換、信号レベル変換、制御信号に含まれるタイミング信号のデコードなどの処理を行う。タイミング信号には様々なものが存在する。下流側にプロジェクタが接続されている場合、送信部（ＨＤＭＩトランスミッター）２２は、入力された映像信号を、出力端子（ＨＤＭＩ  ＯＵＴ）１２を介して下流側のプロジェクタに対して出力する。
【００２９】
受信部（ＨＤＭＩレシーバ）２１において上記した変換等の処理が施された映像信号は、映像信号処理部３０へ送信される。映像信号処理部３０は、映像送受信部２０から送信された映像信号に対して、解像度変換、γ補正や台形歪み補正などの信号処理を行う。映像信号処理部３０は、これらの変換、信号処理が行われた映像信号を、駆動部４０に送信する。駆動部４０は、映像信号処理部３０から送信された映像信号に応じて、表示部５０を構成する図示しない表示素子や光源などを駆動する。表示素子や光源は画像光を作成する。表示素子や光源は、表示部５０の投写レンズ５１から画像光を射出する。表示部５０は、入力された映像信号に対応する映像を形成してスクリーン５００に投写する。
上述したプロジェクタ２００を構成する各ブロックの制御は、制御部（ＣＰＵ）６０が行う。制御部（ＣＰＵ）６０は、バス６１を介して各ブロックと接続されている。制御部（ＣＰＵ）６０は、他のプロジェクタの制御部（ＣＰＵ）との間で、ＨＤＭＩケーブル及びバス６１を介して通信を行うことが可能である。
【００３０】
次に、本実施形態の表示装置におけるＫＳＶの伝送状態について説明する。図３は、第１実施形態の表示装置におけるＫＳＶの伝送状態の一例を示す図である。
図３では、１号機２０１の出力端子（ＨＤＭＩ  ＯＵＴ）１２と２号機２０２の入力端子（ＨＤＭＩ  ＩＮ）１１とが接続される。また、２号機２０２の出力端子（ＨＤＭＩ  ＯＵＴ）１２と３号機２０３の入力端子（ＨＤＭＩ  ＩＮ）１１とが接続される。さらに、３号機２０３の出力端子（ＨＤＭＩ  ＯＵＴ）１２と４号機２０４の入力端子（ＨＤＭＩ  ＩＮ）１１とが接続される。そして、４号機２０４の出力端子（ＨＤＭＩ  ＯＵＴ）１２と５号機２０５の入力端子（ＨＤＭＩ  ＩＮ）１１とが接続される。その後、１号機の入力端子（ＨＤＭＩ  ＩＮ）１１がソース機器１５０に接続される。
【００３１】
１号機２０１から５号機２０５の各々が、ソース機器１５０の認証を受ける過程において、１号機２０１のＫＳＶは、ソース機器１５０に対して送信される。また、２号機２０２のＫＳＶは、１号機２０１を経由してソース機器１５０に対して送信される。このとき、２号機２０２のＫＳＶは、１号機２０１を経由する際に、１号機２０１の記憶部７１に記憶される。
また、３号機２０３のＫＳＶは、２号機２０２及び１号機２０１を経由してソース機器１５０に対して送信される。このとき、３号機２０３のＫＳＶは、２号機２０２を経由する際に、２号機の記憶部７２に記憶される。また、３号機２０３のＫＳＶ及び２号機２０２のＫＳＶは、１号機２０１を経由する際に、１号機２０１の記憶部７１に記憶される。
【００３２】
さらに、４号機２０４のＫＳＶは、３号機２０３、２号機２０２、及び１号機２０１を経由してソース機器１５０に対して送信される。このとき、４号機のＫＳＶは、３号機２０３を経由する際に、３号機２０３の記憶部７３に記憶される。また、４号機２０４及び３号機２０３のＫＳＶは、２号機２０２を経由する際に、２号機２０２の記憶部７２に記憶される。さらに、４号機、３号機２０３、及び２号機２０２のＫＳＶは、１号機２０１を経由する際に、１号機２０１の記憶部７１に記憶される。
そして、５号機２０５のＫＳＶは、４号機２０４、３号機２０３、２号機２０２、及び１号機２０１を経由してソース機器１５０に対して送信される。このとき、５号機２０５のＫＳＶは、４号機２０４を経由する際に、４号機の記憶部７４に記憶される。また、５号機２０５及び４号機２０４のＫＳＶは、３号機２０３を経由する際に、３号機２０３の記憶部７３に記憶される。さらに、５号機２０５、４号機２０４、及び３号機２０３のＫＳＶは、２号機を経由する際に、２号機２０２の記憶部７２に記憶される。また、５号機２０５、４号機２０４、３号機２０３、及び２号機２０２のＫＳＶは、１号機を経由する際に、１号機２０１の記憶部７１に記憶される。
【００３３】
このように、プロジェクタ（シンク機器）からソース機器１５０に対して送信されるＫＳＶは、経由するプロジェクタ（シンク機器）の数が増すにつれて、上流側のプロジェクタ（シンク機器）に対して送信される数が増す。また、プロジェクタ（シンク機器）からソース機器１５０に対して送信されるＫＳＶは、経由するプロジェクタ（シンク機器）の数が増すにつれて、上流側にあるプロジェクタの記憶部に記憶される数が増す。１号機２０１は、２号機２０２から５号機２０５のプロジェクタ（シンク機器）から送信された４個のＫＳＶと、自機器の１個のＫＳＶとを合わせた５つのＫＳＶをソース機器１５０に対して送信する。したがって、１号機２０１は、自機器を含めて合計５台のプロジェクタがデイジーチェーン接続されていることを認識することができる。
【００３４】
また、プロジェクタ（シンク機器）が記憶しているＫＳＶは、接続されている相手機器（ソース機器、シンク機器（プロジェクタ））との接続が切断されると消去される。ここでいう相手機器（ソース機器、シンク機器（プロジェクタ））との接続が切断されることには、相手機器の電源がオフされることも含まれる。
相手機器との接続が再び行われると、シンク機器は、下位に位置するシンク機器から送信されたＫＳＶを記憶すると共に、上位に位置するシンク機器に対して、記憶したＫＳＶと自機器のＫＳＶとを送信する処理を行う。例えば、現在デイジーチェーン接続されている２号機２０２が故障した場合、故障した２号機２０２を交換して新たな２号機２０２を接続することを考えてみる。この場合、新たな２号機２０２は、交換前の故障した２号機と同様に、下位に位置するシンク機器から送信されたＫＳＶを記憶すると共に、記憶したＫＳＶと自機器のＫＳＶとを、１号機２０１に対して送信する。
【００３５】
さらに、各プロジェクタ（シンク機器）の制御部（ＣＰＵ）６０は、ソース機器１５０に対して送信したＫＳＶの数、換言すると、記憶部７０に記憶されているＫＳＶの数を、図示しない通信部を介して、デイジーチェーン接続されている他のすべてのプロジェクタ（シンク機器）の制御部（ＣＰＵ）６０に対して通知する。なお、ＫＳＶの最大数は、デイジーチェーン接続されているプロジェクタの総接続台数と一致する。したがって、各プロジェクタ（シンク機器）は、デイジーチェーン接続されているプロジェクタ（シンク機器）の総接続台数を認識することができる。
【００３６】
各プロジェクタ（シンク機器）の記憶部７０は、自機器のＫＳＶと、自機器を経由してソース機器に対して送信される下流側のすべてのプロジェクタ（下流側シンク機器）のＫＳＶとを記憶している。そこで、各プロジェクタの制御部（ＣＰＵ）６０は、自機器の記憶部７０に記憶しているＫＳＶの数（以下、自機器のＫＳＶの数ともいう。）と、認識しているプロジェクタ（シンク機器）の総接続台数とを比較する。その結果、各プロジェクタ（シンク機器）の制御部（ＣＰＵ）６０は、デイジーチェーン接続されているプロジェクタ（シンク機器）における自機器の接続順位を判定する。
【００３７】
例えば、自機器のＫＳＶの数と総接続台数とが一致する場合、プロジェクタ（シンク機器）の制御部（ＣＰＵ）６０は、デイジーチェーン接続されているすべてのプロジェクタ（シンク機器）のうち最上流側に配置されていると判定する。また、自機器のＫＳＶの数と総接続台数とが異なる場合、プロジェクタ（シンク機器）の制御部（ＣＰＵ）６０は、デイジーチェーン接続されているすべてのプロジェクタ（シンク機器）のうち最上流側に配置されていないと判定する。
【００３８】
より詳細に説明すると、自機器のＫＳＶの数と総接続台数とが同じ場合、プロジェクタ（シンク機器）の制御部（ＣＰＵ）６０は、ソース機器１５０に対して１番目（以下、接続順位＝１番ともいう。）に接続されていると判定する。自機器のＫＳＶの数が総接続台数と比較して１つだけ小さい場合は、プロジェクタ（シンク機器）の制御部（ＣＰＵ）６０は、ソース機器１５０に対して２番目（接続順位＝２番）に接続されていると判定する。自機器のＫＳＶの数が接続台数と比較して２つだけ小さい場合は、プロジェクタ（シンク機器）の制御部（ＣＰＵ）６０は、ソース機器１５０に対して３番目（接続順位＝３番）に接続されていると判定する。
このように、自機器のＫＳＶの数が総接続台数＝Ｋｍａｘ（ここで、Ｋｍａｘは自然数とする。）と比較してＬ（ここで、Ｌは自然数とする。）だけ小さい場合は、プロジェクタ（シンク機器）の制御部（ＣＰＵ）６０は、ソース機器１５０に対し（Ｋｍａｘ−Ｌ＋１）番目（接続順位＝（Ｋｍａｘ−Ｌ＋１）番）に接続されていると判定する。以後、ＫＳＶの最大値Ｋｍａｘに対応するＫｍａｘ番目に至るまで同様に判定する。
なお、総接続台数が予め定められている場合、プロジェクタ（シンク機器）の制御部（ＣＰＵ）６０は、他のプロジェクタ（シンク装置）からＫＳＶの数を受け取る必要はない。この場合、接続順位は、予め定められた総接続台数と、自機器のＫＳＶの数とに基づいて、自機器の接続順位を判定するようにしてもよい。
【００３９】
各プロジェクタ（シンク機器）の制御部（ＣＰＵ）６０は、ソース機器１５０に対して送信したＫＳＶの数を、例えば、有線ＬＡＮを用いて他のプロジェクタの制御部６０（ＣＰＵ）に対して通知するようにしてもよい。各プロジェクタ（シンク機器）の制御部（ＣＰＵ）６０は、通知された各プロジェクタ（シンク機器）のＫＳＶの数と、自機器のＫＳＶの数とを比較する。これにより、各プロジェクタ（シンク機器）の制御部（ＣＰＵ）６０は、デイジーチェーン接続されているプロジェクタ（シンク機器）の総接続台数を判定する。また、各プロジェクタ（シンク機器）の制御部（ＣＰＵ）６０は、自機器が上流側又は下流側の何れに接続されているかを判定する。例えば、自機器が、デイジーチェーン接続されているすべてのプロジェクタ（シンク機器）の最上流側に配置されている場合、各プロジェクタ（シンク機器）の制御部（ＣＰＵ）６０は、自機器をメインプロジェクタ（シンク機器）であると判定する。また、自機器が、デイジーチェーン接続されているすべてのプロジェクタのうち最上流側に配置されていない場合、各プロジェクタ（シンク機器）の制御部（ＣＰＵ）６０は、自機器をサブプロジェクタ（シンク機器）であると判定する。図３の場合、１号機２０１がメインプロジェクタ、２号機２０２から５号機２０５がサブプロジェクタに対応する。
【００４０】
次に、プロジェクタ（シンク機器）をソース機器に対してデイジーチェーン接続したときのソース機器とメインプロジェクタ（リピータ機器）との間の動作について説明する。図４は、本実施形態の表示装置の一例であるプロジェクタ（シンク機器）をソース機器に対してデイジーチェーン接続したときのソース機器とメインプロジェクタ（リピータ機器）との間の動作を示すフローチャートである。
【００４１】
図４においては、ソース機器１５０と、ソース機器１５０と接続されているメインプロジェクタ（リピータ機器）２０１との関係についてのみ記載している。ただし、実際は、図３で説明したように、ソース機器１５０に対してメインプロジェクタ２０１が接続されている。さらに、メインプロジェクタ２０１に対して４台のサブプロジェクタ２０２〜２０５がデイジーチェーン接続されている
まず、メインプロジェクタ２０１側では、ステップＳ４０１の処理において、メインプロジェクタ（リピータ機器）２０１と、メインプロジェクタの後段のサブプロジェクタ（シンク機器）２０２〜２０５とをデイジーチェーン接続する。
ステップＳ４０２の処理において、メインプロジェクタ２０１をソース機器１５０と接続する。
【００４２】
次に、ソース機器１５０側では、ステップＳ４０３の処理において、ソース機器１５０と、シンク機器２０２〜２０５とデイジーチェーン接続したメインプロジェクタ２０１とを接続する。
ステップＳ４０４の処理において、ソース機器１５０は、メインプロジェクタ２０１及びサブプロジェクタ２０２〜２０５のＨＤＣＰ認証を行うため、メインプロジェクタ２０１と、サブプロジェクタ２０２〜２０５とに対して、ＫＳＶをソース機器１５０に対して送信するよう要求する。
次に、ステップＳ４０５の処理において、メインプロジェクタ２０１は、メインプロジェクタ２０１のＫＳＶと、デイジーチェーン接続されているサブプロジェクタ２０２〜２０５のＫＳＶとをソース機器１５０に対して送信する。
【００４３】
次に、ステップＳ４０６の処理において、ソース機器１５０は、ステップＳ４０５の処理において送信されたＫＳＶの数に基づいて、メインプロジェクタ２０１に対してＨＤＣＰを設定するよう要求する。具体的には、ＨＤＣＰのバージョンを設定するよう要求する。
メインプロジェクタ２０１側では、ステップＳ４０７の処理において、ステップＳ４０５の処理において送信したＫＳＶの数に基づいて、ＨＤＣＰ設定部２３を用いてＨＤＣＰのバージョンの設定を行う。この点については、後述する。
そして、ステップＳ４０８の処理において、メインプロジェクタ２０１は、ＨＤＣＰ設定部２３において設定されたＨＤＣＰのバージョン設定をソース機器１５０に対して送信する。
【００４４】
ソース機器１５０側では、ステップＳ４０８の処理において送信されたＨＤＣＰのバージョンに基づいて、ステップＳ４０９の処理において、メインプロジェクタ２０１がＨＤＣＰのバージョン２．２を受信することができるか否かを判断する。
ソース機器１５０は、メインプロジェクタ２０１が、ＨＤＣＰ２．２を受信することができる（ステップＳ４０９：ＹＥＳ）と判断すると、ステップＳ４１０の処理へ移行する。ソース機器１５０は、メインプロジェクタ２０１が、ＨＤＣＰ２．２を受信することができない（ステップＳ４０９：ＮＯ）と判断すると、ステップＳ４１１の処理へ移行する。
ステップＳ４１０の処理において、ソース機器１５０は、ＨＤＣＰ２．２を用いて映像をメインプロジェクタ２０１に対して送信する。
ステップＳ４１１の処理において、ソース機器１５０は、ＨＤＣＰ１．４を用いて映像をメインプロジェクタ２０１に対して送信する。
要するに、ソース機器１５０は、メインプロジェクタ２０１から受信したＨＤＣＰのバージョン設定に応じて、映像信号を暗号化してメインプロジェクタ２０１に対して映像を送信する。
【００４５】
メインプロジェクタ２０１側では、ステップＳ４１２の処理において、ソース機器１５０から送信された映像を、後述する自機器に設定したＨＤＣＰのバージョンに基づいて復号化する。
このとき、メインプロジェクタ２０１には、図２において説明したＨＤＭＩレシーバ２１の内部に、ＨＤＣＰ２．２で暗号化された映像信号を復号する回路と、ＨＤＣＰ１．４で暗号化された映像信号を復号する回路とが搭載されている。したがって、メインプロジェクタ２０１の制御部（ＣＰＵ）６０は、後述する自機器に設定したＨＤＣＰのバージョンに応じて、何れかの回路を選択する。
また、メインプロジェクタ２０１は、ＨＤＭＩケーブルなどの通信用ケーブルを介して、メインプロジェクタ２０１と同じＨＤＣＰのバージョン設定を、サブプロジェクタ２０２〜２０５に対して行う。
【００４６】
次に、本実施形態の表示装置の一例であるプロジェクタ（シンク機器）をソース機器に対してデイジーチェーン接続したときのメインプロジェクタ（リピータ機器）の動作について説明する。図５は、本実施形態の表示装置の一例であるプロジェクタ（シンク機器）をソース機器に対してデイジーチェーン接続したときのメインプロジェクタ（リピータ機器）の動作を示すフローチャートである。
図５において、メインプロジェクタ２０１は、図４のステップＳ４０７の処理において設定するＨＤＣＰのバージョンを、ステップＳ４０５の処理においてソース機器１５０に対して送信したＫＳＶの数に基づいて決定する。ステップＳ５０１の処理において、メインプロジェクタ２０１は、ステップＳ４０５の処理において送信したＫＳＶの数が５つ以上であるか否かを判断する。
メインプロジェクタ２０１は、ＫＳＶの数が５つ以上である（ステップＳ５０１：ＹＥＳ）と判断すると、ステップＳ５０２の処理へ移行する。メインプロジェクタ２０１は、ＫＳＶの数が５つ以上でない（ステップＳ５０１：ＮＯ）と判断すると、ステップＳ５０３の処理へ移行する。
ステップＳ５０２の処理において、メインプロジェクタ２０１は、ＨＤＣＰ設定部２３を用いて自機器のＨＤＣＰのバージョン設定を１．４にする。ステップＳ５０３の処理において、メインプロジェクタ２０１は、ＨＤＣＰ設定部２３を用いて自機器のＨＤＣＰのバージョン設定を２．２にする。
そして、図４のステップＳ４０８の処理へ移行し、メインプロジェクタ２０１は、ステップＳ５０２又はステップＳ５０３の何れかに設定されたＨＤＣＰのバージョン設定を、ソース機器１５０に対して送信する。
【００４７】
なお、上記実施形態においては、表示装置としてプロジェクタを一例に挙げて説明を行っている。しかしながら、本発明の表示装置は、プロジェクタに限定されない。すなわち、本発明は、ディスプレイ装置など、何らかの表示を行う装置であれば、如何なる表示装置に対しても広く適用することができる。
また、現在規格化されているＨＤＣＰ１．４の場合、リピータ機器を接続することが可能な階層の数は最大８階層、シンク機器のデバイス数は最大１２８に制限されている。また、ＨＤＣＰ２．２の場合、リピータ機器を接続することが可能な階層の数は最大４階層、シンク機器のデバイス数は最大３２に制限されている。
しかしながら、ＨＤＣＰ規格は、将来的にバージョンが更新される可能性がある。そして、今後更新されるＨＤＣＰの規格によっては、最大階層数、最大デバイス数は変更され得るものである。したがって、本発明は、デイジーチェーン接続される表示装置の台数に基づいて、当該接続される台数に対応可能な最適なＨＤＣＰのバージョンに自動的に設定されるという技術思想をも含む概念である。
【００４８】
また、ソース機器に対してデイジーチェーン接続されるシンク機器の台数と、台数に基づいて設定されるＨＤＣＰのバージョンとは、予め設定されているものであってもよい。さらに、ソース機器に対してデイジーチェーン接続されるシンク機器の台数に基づいて対応可能な、最新のＨＤＣＰのバージョンが、最適なＨＤＣＰのバージョンであるとしてもよい。
例えば、今後策定され得るＨＤＣＰのバージョンＸの場合、ソース機器に対してリピータ機器をデイジーチェーン接続することが可能な階層の数は最大２階層、シンク機器のデバイス数は最大１６に制限されているものと仮定する。そして、表示装置（シンク機器）は、ＨＤＣＰのバージョン１．４、２．２、及びＸのすべてに対応しているものと仮定する。さらに、ＨＤＣＰのバージョンは、１．４、２．２、Ｘの順にアップデートされているものと仮定する。
このとき、以下のような応用例が考えられる。すなわち、ソース機器に対してデイジーチェーン接続されている表示装置（シンク機器）の台数が２台の場合、ＨＤＣＰのバージョンＸに設定される。また、ソース機器に対してデイジーチェーン接続されている表示装置（シンク機器）の台数が３台の場合、ＨＤＣＰのバージョン２．２に設定される。さらに、ソース機器に対してデイジーチェーン接続されている表示装置（シンク機器）の台数が６台の場合、ＨＤＣＰのバージョン１．４に設定される。このように、ソース機器に対してデイジーチェーン接続されるシンク機器の台数に基づいて対応可能なＨＤＣＰのバージョンに、最新のバージョンが含まれるようにしてもよい。
【００４９】
以上説明したように、本実施形態では、デイジーチェーン接続されたシンク機器の台数を、ソース機器に対して最近端に接続されるシンク機器に記憶されているＫＳＶの数に基づいて、ＨＤＣＰのバージョンの設定を行うこととしている。これにより、ソース機器に対して複数のシンク機器をデイジーチェーン接続した場合であっても、デイジーチェーン接続したシンク機器の台数に伴うＨＤＣＰのバージョンの設定変更を行う手間を省くことができるのである。
【００５０】
（第２実施形態）
次に、本発明の第２実施形態を説明する。図６は、本発明の第２実施形態の表示装置の一例を示す概略ブロック図である。
図６を参照すると、本実施形態の表示装置３００は、表示部３０１と、判定部３０２と、設定部３０３とを有する。
表示部３０１は、所定の規格として規定されている規格の所定のバージョンで暗号化した映像信号を出力するソース機器に対してデイジーチェーン接続され、所定のバージョンで暗号化した映像信号を復号して生成される映像を表示する。第１実施形態における、少なくとも、ＨＤＭＩ  ＩＮ１１、ＨＤＭＩレシーバ２１、ＨＤＭＩトランスミッター２２、ＨＤＭＩ  ＯＵＴ１２、及び表示部５０は、表示部３０１の一例である。
判定部３０２は、ソース機器に対してデイジーチェーン接続されているシンク機器の接続台数を判定する。第１実施形態における制御部（ＣＰＵ）６０は、判定部３０２の一例である。
設定部３０３は、所定のバージョンのうち、シンク機器の接続台数に応じて、ソース機器で暗号化した映像信号を復号して生成される映像を、デイジーチェーン接続されているすべてのシンク機器の表示部３０１において表示可能なバージョンを設定する。第１実施形態におけるＨＤＣＰ設定部２３は、設定部３０３の一例である。
そして、所定の規格の具体例として、著作権を保護する規格として規定されている規格が挙げられる。また、所定の規格の具体例として、ＨＤＣＰが挙げられる。
【００５１】
本実施形態の表示装置３００は、所定の規格として規定されている規格の所定のバージョンで暗号化した映像信号を出力するソース機器に対してデイジーチェーン接続され、所定のバージョンで暗号化した映像信号を復号して生成される映像を表示する表示部３０１を備えている。また、ソース機器に対してデイジーチェーン接続されているシンク機器の接続台数を判定する判定部３０２を備えている。さらに、所定のバージョンのうち、シンク機器の接続台数に応じて、ソース機器で暗号化した映像信号を復号して生成される映像を、デイジーチェーン接続されているすべてのシンク機器の表示部３０１において表示可能なバージョンを設定する設定部３０３を備えている。これにより、信号源に対して複数の機器をデイジーチェーン接続した場合であっても、デイジーチェーン接続した機器の台数に伴う著作権保護規格のバージョンの設定変更を行う手間を省くことが可能になるのである。
【００５２】
なお、プロジェクタ２００の記憶部７０に格納されているコンピュータプログラムは、記録媒体で提供されてもよく、また、インターネット等のネットワークを介して提供されてもよい。記録媒体は、コンピュータ使用可能媒体又はコンピュータ可読媒体であって、磁気、光、電子、電磁気、赤外線などを用いて情報の記録又は読み取りが可能な媒体を含む。そのような媒体として、例えば、半導体メモリ、半導体または固体の記憶装置、磁気テープ、取外し可能なコンピュータディスケット、ランダムアクセスメモリ（ＲＡＭ（Random Access Memory））、読出し専用メモリ（ＲＯＭ（Read Only Memory））、磁気ディスク、光ディスク、光磁気ディスクなどがある。
【００５３】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００５４】
１１    ＨＤＭＩ  ＩＮ
１２    ＨＤＭＩ  ＯＵＴ
２０    映像送受信部
２１    ＨＤＭＩレシーバ
２２    ＨＤＭＩトランスミッター
２３    ＨＤＣＰ設定部
３０    映像信号処理部
４０    駆動部
５０    表示部
５１    投写レンズ
６０    制御部（ＣＰＵ）
７０、７１、７２、７３、７４、７５    記憶部
１００    ＰＣ
１０１、１０２、１０３、１０４、１０５    ＨＤＭＩケーブル
１５０    ソース機器
２００、２０１、２０２、２０３、２０４、２０５    プロジェクタ
３００    表示装置
３０１    表示部
３０２    判定部
３０３    設定部
５００    スクリーン
【図１】
2018220724.tif 000003
【図２】
2018220724.tif 000004
【図３】
2018220724.tif 000005
【図４】
2018220724.tif 000006
【図５】
2018220724.tif 000007
【図６】
2018220724.tif 000008
【国際調査報告】
2018220724.tif 000009
2018220724.tif 000010
2018220724.tif 000011